(57)【要約】      （修正有）【課題】布製膜のテンション付加によって生じる枠体の撓みを精度よく、作業性よく矯正し、意匠感のすぐれた、立て付けの良い光膜天井パネルおよび、または光膜壁パネルを提供する。【解決手段】布製膜の端部が周囲の枠体に内側方向のテンション付加状態で張設されている光膜天井パネルまたは光膜壁パネルにおいて、該枠体の長手方向の所定の対向位置に一対または複数対のたわみ矯正基部が布製膜とは反対側に立設してとりつけられ、該たわみ矯正基部の先端側の取付部の係合凹部には矯正棒が挿着されており、さらに一方の係合凹部にはその反対面にねじ孔が連孔されており、このねじ孔に虫ねじを螺合して虫ねじの先端で矯正棒を押圧することによってその押圧力を枠体に付与して枠体のたわみを矯正することを特徴とする光膜天井パネルおよび、または光膜壁パネル。【選択図】図２
0003130630.tif 000002
【実用新案登録請求の範囲】
【請求項１】
布製膜の端部が周囲の枠体に内側方向のテンション付加状態で張設されている光膜天井パネルおよび、または光膜壁パネルにおいて、該枠体の長手方向の所定の対向位置に一対または複数対のたわみ矯正基部が布製膜とは反対側に立設してとりつけられ、該たわみ矯正基部の先端側の取付部の係合凹部には矯正棒が挿着されており、さらに一方の係合凹部にはその反対面にねじ孔が連孔されており、このねじ孔に虫ねじを螺合して虫ねじの先端で矯正棒を押圧することによってその押圧力を枠体に付与して枠体のたわみを矯正することを特徴とする光膜天井パネルおよび、または光膜壁パネル。
【請求項２】
たわみ矯正基部は上下２段に取付部の係合凹部を形成していることを特徴とする請求項１記載の光膜天井パネルおよび、または光膜壁パネル。
【請求項３】
たわみ矯正基部は枠体に回転可能にとりつけられており、矯正棒の取付角度が変位可能であることを特徴とする請求項１または請求項２記載の光膜天井パネルおよび、または光膜壁パネル。
【請求項４】
上下２段に形成された取付部は、その一方または両方が矯正棒の取付角度が変位可能に、回転可能に形成されていることを特徴とする請求項２または請求項３記載の光膜天井パネルおよび、または光膜壁パネル。
【考案の詳細な説明】
【技術分野】
【０００１】本考案は光膜天井パネルおよび、または光膜壁パネルに関するもので、ことに膜を張設する枠体が膜のテンション（張力）によってたわみが生じるが、このたわみを減少もしくは皆無にする光膜天井パネルおよび、または光膜壁パネルを提供する。
【背景技術】
【０００２】従来光膜天井パネルや光膜壁パネルは公知であり、照明器具からの明かりを拡散光として照射するために、該照明器具の外側に適宜手段で取り付けられる。その構成は例えばアルミの型材を方形に組んだ枠体に布製膜が張設してとりつけられる。そしてその膜の張り具合が良く、かつ枠体に生じるたわみを矯正するために枠体の隅角部に、あるいは枠体の対向中央部にたわみ矯正の補強材をとりつけていた。
【考案の開示】
【考案が解決しようとする課題】
【０００３】ところが上記構成の光膜天井パネルまたは光膜壁パネルにおいては次のような問題点があった。
枠体のたわみ矯正の補強材は隅角部または対同枠間にまたがってとりつけられるが、その補強材はパネルの大きさごとに仕様を決めて、その都度製作されるので、材料費のアップ、材料の保管の面倒さ、枠体に補強材を取り付ける時間が長く要すること、矯正の精度が十分でない等の問題点があった。本考案はこれらの問題点を解決した光膜天井パネルおよび、または光膜壁パネルを提供する。
【課題を解決するための手段】
【０００４】本考案はつぎの特徴を備えている。
その一つは「布製膜の端部が周囲の枠体に内側方向のテンション付加状態で張設されている光膜天井パネルまたは光膜壁パネルにおいて、該枠体の長手方向の所定の対向位置に一対または複数対のたわみ矯正基部が布製膜とは反対側に立設してとりつけられ、該たわみ矯正基部の先端側の取付部の係合凹部には矯正棒が挿着されており、さらに一方の係合凹部にはその反対面にねじ孔が連孔されており、このねじ孔に虫ねじを螺合して虫ねじの先端で矯正棒を押圧することによってその押圧力を枠体に付与して枠体のたわみを矯正することを特徴とする光膜天井パネルおよび、または光膜壁パネル」である。【０００５】その二つは「上記において、たわみ矯正基部は上下２段に取付部の係合凹部を形成していることを特徴とする光膜天井パネルおよび、または光膜壁パネル」である。【０００６】その三つは「上記において、たわみ矯正基部は枠体に回転可能にとりつけられており、矯正棒の取付角度が変位可能であることを特徴とする光膜天井パネルおよび、または光膜壁パネル」である。【０００７】その四つは「上記において、上下２段に形成された取付部は、その一方または両方が矯正棒の取付角度が変位可能に、回転可能に形成されていることを特徴とする光膜天井パネルおよび、または光膜壁パネル」である。
【考案の効果】
【０００８】本考案の光膜天井パネルおよび、または光膜壁パネルは次の効果を奏する。
この種パネルはたわみ矯正の対策を講じなければ布製膜のテンションの付加によって周囲の枠体は傾向として中央部が内側に湾曲したたわみを生じる。パネルを並べて敷設した際に隙間ができ、立て付けの悪さ、意匠感を害する等の問題点を露呈することになる。
本考案においては周囲の枠体の長手方向の対向間の適所に一対または複数対のたわみ矯正基部をとりつけ、これら基部の取付部に矯正棒を挿着し、さらに上記矯正棒の一端はたわみ矯正基部の取付部に螺合している虫ねじによって押圧力が付与されるように構成されているので、その押圧力によって枠体のたわみが減少し、もしくは皆無に近づき、立て付けの精度がよく、意匠感を整え、しかも矯正作業も早く、確実にできる等の効果を奏する。【０００９】本考案はたわみ矯正基部に上下２段の矯正棒の取付部を形成しているので、矯正棒の対向枠間に交差状態でとりつけできるので施工面、コスト面においてすぐれている。【００１０】本考案はたわみ矯正基部が矯正棒の取付角度が変位可能に構成しているので、枠体にたわみ矯正基部を取り付ける場合の取付位置の自由度が広がり、該基部間の長さの矯正棒を用いれば、枠体の長さの大小いずれにも対応できるので、取付け作業の容易さや部品の共用化等によるコスト削減に効果を奏する。【００１１】本考案は上下２段に形成している矯正棒の取付部がそれぞれ矯正棒の取付角度が変位可能に形成しているので、たわみ矯正基部をとりつける場合の取付け位置の自由度が広がり、前記同様該基部間に対応した長さの矯正棒を用いれば、所定の角度の位置に矯正棒のとりつけが可能であり、取り付け作業の容易さや部品の共用化による部品点数の削減等によるコスト削減効果を奏する。
【考案を実施するための最良の形態】
【００１２】本考案の実施形態を図面を用いて以下に説明する。
図１は本考案光膜天井パネルの一実施例を示す説明用平面図である。
１は光膜天井パネルで、２はアルミ製の型材からなる公知の枠体、３はその端部が枠体に内側方向のテンション付加状態で張設された公知の布製膜、４、５は枠体の長手方向の所定の対向位置に布製膜の反対側に立設している一対のたわみ矯正基部である。後述しているが、該基部はパネルの大きさ、枠体の強度、膜のテンションの度合い等によって複数対とりつけることもできる。たわみ矯正基部は取付金具４ａ、５ａを介して枠体に固定している。【００１３】６は中空パイプ状の矯正棒で、その両端がたわみ矯正基部の先端側に形成している取付部の係合凹部に挿着されている。しかして一方側のたわみ矯正基部の係合凹部には、その反対面にねじ孔が連孔されており、該ねじ孔に虫ねじを進退自在に螺合して、虫ねじの先端で矯正棒を押圧している。そしてその押圧力を枠体に付与して枠体のたわみを減少すべく矯正している。【００１４】図２は図１のＡ−Ａ要部拡大断面図を示す。光膜天井パネル１は枠体２に布製膜３が内側方向のテンション付加状態で張設されている。この場合枠体は長手方向に沿って内側に撓み、中央部が大きく撓む傾向にある。たわみ量は布製膜の繊維の方向性、テンションの度合、枠体の形状、大きさ、強度等が起因しており、一定ではない。【００１５】４、５は一対のたわみ矯正基部で、アルミのダイカスト等で製作してあり、布製膜とは反対側に立設してそれぞれ取付金具４ａ、５ａをかいして枠体にとりつけている。該基部の先端側の取付部には矯正棒６を挿着する係合凹部４ｂ１、４ｂ１、５ｂ１、５ｂ１が上下２段に形成されている。しかして一方のたわみ矯正基部４の係合凹部４ｂ１、４ｂ１は反対面にねじ孔４ｂ２を連孔している。
ねじ孔４ｂ２には虫ねじ７が進退自在に螺合されており、虫ねじの先端で矯正棒を押圧し、その押圧力を枠体に付与し枠体の撓みを減少すべく矯正している。【００１６】係合凹部を上下２段に形成することにより、後述しているが、矯正棒を前後、左右に交差状態で取付ける場合に互いに衝突することなくとりつけできる。また必要に応じて同方向に上下２本の矯正棒をとりつけることもできる。【００１７】図３は一対のたわみ矯正基部の一方を示し、Ａは正面図、Ｂは右側面図である。たわみ矯正基部４は先端側に矯正棒を挿着する係合凹部４ｂ１、４ｂ１を上下２段に形成している。この係合凹部の反対面に虫ねじが螺合されるねじ孔４ｂ２、４ｂ２を連孔している。４ｃは切欠凹部、４ｄはかしめ具の挿通孔である。【００１８】図４は一対のたわみ矯正基部の他の一方を示し、Ａは正面図、Ｂは左側面図である。図示より理解できるが図３のたわみ矯正基部とはねじ孔が形成されていない点で異なるが、その他の構成は同じである。
たわみ矯正基部５は先端側に矯正棒を挿着する係合凹部５ｂ１、５ｂ１を上下２段に形成している。５ｃは切欠凹部、５ｄはかしめ具の挿通孔である。【００１９】図５は一対のたわみ矯正基部を枠体にとりつける取付金具を示し、Ａは平面図、Ｂは正面図である。
取付金具４ａ、５ａは枠体に固定する止具孔４ａ１、５ａ１を形成し、枠体に係合する係止片４ａ２、５ａ２を形成し、さらにたわみ矯正基部４、５をかしめ止するためのかしめ具の挿通孔４ａ３、５ａ３を形成している。【００２０】図６は取付金具にたわみ矯正基部をとりつけた状態の正面図である。たわみ矯正基部４、５は取付金具４ａ、５ａにかしめ具８を介してとりつけられている。この実施例はたわみ矯正基部は取付金具に回転可能にかしめ具でとりつけているが、完全に固定する構造にすることもでき、要は取付金具とたわみ矯正基部が一体に形成された構造である。
この実施例のようにたわみ矯正基部が回転すれば矯正棒の取付角度が変位できるので、一対のたわみ矯正基部の取付位置が自由度が広がる。【００２１】図７は本考案たわみ矯正基部の別の実施例を示し、Ａは側面図、Ｂは正面図である。
図８は図７のたわみ矯正基部の使用状態を示す略平面図である。たわみ矯正基部９は先端に矯正棒の取付部９ａ、９ｂを上下２段に形成している。９ａ１、９ｂ１は取付部に設けている係合凹部である。上段の取付部９ａは軸ピン１０を介して９０度回転の状態でとりつけられている。図８はその状態を示す。９ａ２、９ｂ２は軸ピンの挿通孔である。１１は矯正棒で、係合凹部に挿着されている。不図示であるが下段の取付部９ｂも回転可能に形成することもできる。【００２２】図９から図１１は本考案光膜天井パネルのさらにそれぞれ別の実施例を示す説明用の平面略図である。
図９はたわみ矯正基部１２の先端側に設けている矯正棒の取付部が上下２段に形成されており、各段の係合凹部に交差させて矯正棒１３を挿着しており、前後左右に対向する枠体１４のたわみを矯正している。【００２３】図１０は方形の各枠体１４にたわみ矯正基部１２が取付金具に対して回転可能に形成されている。しかして取付部は図７に示す構成であり、矯正棒１２は上下２段の係合凹部に上段、下段と交互に挿着されている。【００２４】図１１は大型の光膜天井パネルの枠体のたわみを矯正するためのたわみ矯正基部のレイアウトを示す。
たわみ矯正基部１２は矯正棒の取付部が１段である。５対のたわみ矯正基部を枠体１４にとりつけ、矯正棒１３を挿着している。
以上本考案の実施例について説明したが、本考案はこれに限定されず、本考案の技術思想を逸脱しない範囲の設計変更は可能である。
【図面の簡単な説明】
【００２５】
【図１】本考案光膜天井パネルの一実施例を示す説明用平面図。
【図２】図１のＡ−Ａ要部拡大断面図。
【図３】本考案の一方のたわみ矯正基部を示し、Ａは正面図、Ｂは右側面図。
【図４】同じく他方のたわみ矯正基部を示し、Ａは正面図、Ｂは左側面図。
【図５】同じく取付金具を示し、Ａは平面図、Ｂは正面図。
【図６】同じく取付金具にたわみ矯正基部をとりつけた状態の正面図。
【図７】本考案たわみ矯正基部の別の実施例を示し、Ａは側面図、Ｂは正面図。
【図８】図７のたわみ矯正基部の使用態様を示す略平面図。
【図９】本考案光膜天井パネルの別の実施例を示す平面略図。
【図１０】同じく別の実施例を示す平面略図。
【図１１】同じく別の実施例を示す平面略図である。
【符号の説明】
【００２６】１      光膜天井パネル
２      枠体
３      布製膜
４      たわみ矯正基部
４ａ    取付金具
４ａ２  係止片
４ａ３  挿通孔
４ｂ    取付部
４ｂ１  係合凹部
４ｂ２  ねじ孔
４ｄ    挿通孔
５      たわみ矯正基部
５ａ    取付金具
５ａ２  係止片
５ａ３  挿通孔
５ｂ    取付部
５ｂ１  係合凹部
５ｄ    挿通孔
６      矯正棒
７      虫ねじ
８      かしめ具
９      たわみ矯正基部
９ａ    取付部
９ａ１  係合凹部
９ａ２  ピン挿通孔
９ｂ    取付部
９ｂ１  係合凹部
９ｂ２  ピン挿通孔
１０    軸ピン
１１    矯正棒
１２    たわみ矯正基部
１３    矯正棒
１４    枠体
【図１】
0003130630.tif 000003
【図２】
0003130630.tif 000004
【図３】
0003130630.tif 000005
【図４】
0003130630.tif 000006
【図５】
0003130630.tif 000007
【図６】
0003130630.tif 000008
【図７】
0003130630.tif 000009
【図８】
0003130630.tif 000010
【図９】
0003130630.tif 000011
【図１０】
0003130630.tif 000012
【図１１】
0003130630.tif 000013